(57)【要約】【課題】ＩＰネットワークを介した通話に必要な音声コーデックの仕様に係わらずインターホン内部ネットワークにおける音声のサンプリング周波数帯域を広く使用できるようにする。【解決手段】玄関子機２及び親機３を接続し、親機３にＩＰネットワーク４を介して外部機器５を接続する場合に、親機にアナログ音声信号をデジタルデータに変換するための広域な周波数帯域を使用する内部ネットワークの音声のサンプリング周波数を外部ネットワークの音声のサンプリング周波数に変換処理するサンプリング周波数変換処理部３０８と、サンプリング周波数変換処理部の変換結果が入力されＩＰネットワークを介し外部機器５との通話を可能とする音声伝送用の音声コーデック３０９とを備える。【選択図】図２
2006197448.tif 000002
【特許請求の範囲】
【請求項１】
玄関子機（２）及び親機（３）を接続して内部ネットワークとしてインターホンシステムを構成し、前記インターホンシステムは外部ネットワーク（４）に接続され、前記玄関子機及び前記親機のオーディオコーデック（２０５、３０５）によりアナログ音声信号をデジタルデータに変換しデジタル信号として伝送を行なうインターホンシステムであって、
前記親機は、前記アナログ音声信号を前記デジタルデータに変換するための広域な周波数帯域を使用する前記内部ネットワークの音声のサンプリング周波数を前記外部ネットワークの音声のサンプリング周波数に変換処理するサンプリング周波数変換処理部（３０８）と、前記サンプリング周波数変換処理部の変換結果が入力され前記外部ネットワークを介し外部機器（５）との通話を可能とする音声伝送用の音声コーデック（３０９）とを有することにより前記外部ネットワークの音声のサンプリング周波数に拘束されることなく前記内部ネットワークで広域な周波数帯域を使用して前記玄関子機と前記親機間の通話を可能とすることを特徴とするインターホンシステム。
【請求項２】
玄関子機（２）、親機（３）及び増設親機（６）を接続して内部ネットワークとしてインターホンシステムを構成し、前記インターホンシステムは外部ネットワーク（４）に接続され、前記玄関子機、前記親機、前記増設親機のオーディオコーデック（２０５、３０５、６０５）によりアナログ音声信号をデジタルデータに変換しデジタル信号として伝送を行なうインターホンシステムであって、
前記親機は、前記アナログ音声信号を前記デジタルデータに変換するための広域な周波数帯域を使用する前記内部ネットワークの音声のサンプリング周波数を前記外部ネットワークの音声のサンプリング周波数に変換処理するサンプリング周波数変換処理部（３０８）と、前記サンプリング周波数変換処理部の変換結果が入力され前記外部ネットワークを介し外部機器（５）との通話を可能とする音声伝送用の音声コーデック（３０９）とを有し、前記増設親機は前記親機を介して前記外部機器と通話を可能とすることにより前記外部ネットワークの音声のサンプリング周波数に拘束されることなく前記内部ネットワークで広域な周波数帯域を使用して前記玄関子機と前記親機及び前記増設親機間の通話を可能とすることを特徴とするインターホンシステム。
【請求項３】
玄関子機（２）及び親機（６）を制御機（７）を介して接続して内部ネットワークとしてインターホンシステムを構成し、前記インターホンシステムは外部ネットワーク（４）に接続され、前記玄関子機及び前記親機のオーディオコーデック（２０５、６０５）によりアナログ音声信号をデジタルデータに変換しデジタル信号として伝送を行なうインターホンシステムであって、
前記制御機は、前記アナログ音声信号を前記デジタルデータに変換するための広域な周波数帯域を使用する前記内部ネットワークの音声のサンプリング周波数を前記外部ネットワークの音声のサンプリング周波数に変換処理するサンプリング周波数変換処理部（７０２）と、前記サンプリング周波数変換処理部の変換結果が入力され前記外部ネットワークを介し外部機器（５）との通話を可能とする音声伝送用の音声コーデック（７０３）とを有することにより前記外部ネットワークの音声のサンプリング周波数に拘束されることなく前記内部ネットワークで広域な周波数帯域を使用して前記玄関子機と前記親機間の通話を可能とすることを特徴とするインターホンシステム。
【請求項４】
玄関子機（２）及び親機（６、６）を接続して内部ネットワークとしてインターホンシステムを構成し、前記インターホンシステムはＩＦモジュール（８）を介して外部ネットワーク（４）に接続され、前記玄関子機、前記親機のオーディオコーデック（２０５、６０５）によりアナログ音声信号をデジタルデータに変換しデジタル信号として伝送を行なうインターホンシステムであって、
前記ＩＦモジュールは、前記アナログ音声信号を前記デジタルデータに変換するための広域な周波数帯域を使用する前記内部ネットワークの音声のサンプリング周波数を前記外部ネットワークの音声のサンプリング周波数に変換処理するサンプリング周波数変換処理部（８０２）と、前記サンプリング周波数変換処理部の変換結果が入力され前記外部ネットワークを介し外部機器（５）との通話を可能とする音声伝送用の音声コーデック（８０３）とを有し、前記親機は前記ＩＦモジュールを介して前記外部機器と通話を可能とすることにより前記外部ネットワークの音声のサンプリング周波数に拘束されることなく前記内部ネットワークで広域な周波数帯域を使用して前記外部機器と前記玄関子機若しくは前記親機間の通話を可能とすることを特徴とするインターホンシステム。
【発明の詳細な説明】
【技術分野】
【０００１】
本発明は、インターホンシステムに係わり、特にインターネットやＩＰ電話網を介して外部機器と通話を行なうインターホンシステムに関する。
【背景技術】
【０００２】
従来から、外部機器と通話可能なインターホンシステムとして、カメラ付玄関子機、モニタ付親機及び録画装置から成る内部ネットワークを備え、モニタ付親機がインターネットを介して外部に設置されるサーバに接続可能なテレビドアホンシステムが提案されている（例えば、特許文献１、特許文献２参照。）。
【０００３】
このようなテレビドアホンシステムは、内部ネットワークにおける機器間のデータ送受信はデジタル信号によって行われている。また、カメラ付玄関子機で撮像された画像のデータをインターネットを介してサーバにアップロードすることができ、このサーバにアップロードされた画像データを外出中の居住者が携帯端末によって確認することができる。
【０００４】
【特許文献１】特開２００３−２８３６９６号公報（第４−７頁、第１−２図）
【特許文献２】特開２００４−１５３４１８号公報（第４−８頁、第１−２図）
【発明の開示】
【発明が解決しようとする課題】
【０００５】
しかしながら、背景技術において示したテレビドアホンシステムでは、外部機器との通話は電話網を介したアナログ方式が多く、インターネットやＩＰネットワーク（以下、「ＩＰネットワーク等」という。）を介して音声通話を行なうものではなかった。また、ＩＰネットワーク等を利用して外部機器との通話を行う場合には、音声伝送用の音声コーデック（ＣＯＤＥＣ）をモニタ付親機に設けることになるが、ＩＰネットワーク等に好適な音声のサンプリング周波数で当該ＩＰネットワーク等に伝送しなければならないので、内部ネットワークにおける通話のためのサンプリング周波数帯域を限定しなければならないといった難点があった。
【０００６】
本発明は、このような従来の難点を解決するためになされたもので、インターホン内部ネットワークのＩＰネットワークに接続される何れかの機器にサンプリング周波数変換処理部を搭載することで、ＩＰネットワークを介した通話に必要な音声コーデックの仕様に係わらずインターホン内部ネットワークにおける音声のサンプリング周波数帯域を広く使用することが可能になるインターホンシステムを提供することを目的とする。
【課題を解決するための手段】
【０００７】
本発明の第１の態様は、玄関子機及び親機を接続して内部ネットワークとしてインターホンシステムを構成し、インターホンシステムは外部ネットワークに接続され、玄関子機及び親機のオーディオコーデックによりアナログ音声信号をデジタルデータに変換しデジタル信号として伝送を行なうインターホンシステムである。このインターホンシステムの親機は、アナログ音声信号をデジタルデータに変換するための広域な周波数帯域を使用する内部ネットワークの音声のサンプリング周波数を外部ネットワークの音声のサンプリング周波数に変換処理するサンプリング周波数変換処理部と、サンプリング周波数変換処理部の変換結果が入力され外部ネットワークを介し外部機器との通話を可能とする音声伝送用の音声コーデックとを有することにより外部ネットワークの音声のサンプリング周波数に拘束されることなく内部ネットワークで広域な周波数帯域を使用して玄関子機と親機間の通話を可能とするものである。
【０００８】
また、本発明の第２の態様は、玄関子機、親機及び増設親機を接続して内部ネットワークとしてインターホンシステムを構成し、インターホンシステムは外部ネットワークに接続され、玄関子機、親機、増設親機のオーディオコーデックによりアナログ音声信号をデジタルデータに変換しデジタル信号として伝送を行なうインターホンシステムである。このインターホンシステムの親機は、アナログ音声信号をデジタルデータに変換するための広域な周波数帯域を使用する内部ネットワークの音声のサンプリング周波数を外部ネットワークの音声のサンプリング周波数に変換処理するサンプリング周波数変換処理部と、サンプリング周波数変換処理部の変換結果が入力され外部ネットワークを介し外部機器との通話を可能とする音声伝送用の音声コーデックとを有し、増設親機は親機を介して外部機器と通話を可能とすることにより外部ネットワークの音声のサンプリング周波数に拘束されることなく内部ネットワークで広域な周波数帯域を使用して玄関子機と親機及び増設親機間の通話を可能とするものである。
【０００９】
また、本発明の第３の態様は、玄関子機及び親機を制御機を介して接続して内部ネットワークとしてインターホンシステムを構成し、インターホンシステムは外部ネットワークに接続され、玄関子機及び親機のオーディオコーデックによりアナログ音声信号をデジタルデータに変換しデジタル信号として伝送を行なうインターホンシステムである。このインターホンシステムの制御機は、アナログ音声信号をデジタルデータに変換するための広域な周波数帯域を使用する内部ネットワークの音声のサンプリング周波数を外部ネットワークの音声のサンプリング周波数に変換処理するサンプリング周波数変換処理部と、サンプリング周波数変換処理部の変換結果が入力され外部ネットワークを介し外部機器との通話を可能とする音声伝送用の音声コーデックとを有することにより外部ネットワークの音声のサンプリング周波数に拘束されることなく内部ネットワークで広域な周波数帯域を使用して玄関子機と親機間の通話を可能とするものである。
【００１０】
また、本発明の第４の態様は、玄関子機及び親機を接続して内部ネットワークとしてインターホンシステムを構成し、インターホンシステムはＩＦモジュールを介して外部ネットワークに接続され、玄関子機、親機のオーディオコーデックによりアナログ音声信号をデジタルデータに変換しデジタル信号として伝送を行なうインターホンシステムである。このインターホンシステムのＩＦモジュールは、アナログ音声信号をデジタルデータに変換するための広域な周波数帯域を使用する内部ネットワークの音声のサンプリング周波数を外部ネットワークの音声のサンプリング周波数に変換処理するサンプリング周波数変換処理部と、サンプリング周波数変換処理部の変換結果が入力され外部ネットワークを介し外部機器との通話を可能とする音声伝送用の音声コーデックとを有し、親機はＩＦモジュールを介して外部機器と通話を可能とすることにより外部ネットワークの音声のサンプリング周波数に拘束されることなく内部ネットワークで広域な周波数帯域を使用して外部機器と玄関子機若しくは親機間の通話を可能とするものである。
【００１１】
このようなインターホンシステムによれば、内部ネットワークにおいて採用されている広域な周波数帯域を使用する音声のサンプリング周波数のデジタルデータを第１、第２の態様の場合、親機のサンプリング周波数変換処理部で外部ネットワークにおける音声のサンプリング周波数に変換処理することができる。したがって、ＩＰネットワークを介した通話に好適な音声コーデックにて外部機器との通話が可能になるので、外部ネットワークの音声のサンプリング周波数に拘束されることなく広域な周波数帯域を使用する音声のサンプリング周波数で内部ネットワーク内における通話が可能になる。また、第３の態様では制御機が、第４の態様ではＩＦモジュールがそれぞれ同様の機能を有しているので、音声コーデックにて外部機器との通話が可能となると共に、外部ネットワークの音声のサンプリング周波数に拘束されることなく広域な周波数帯域を使用する音声のサンプリング周波数で内部ネットワーク内における通話が可能になる。
【発明の効果】
【００１２】
本発明のインターホンシステムによれば、外部ネットワークを介して外部機器と通話できる内部ネットワークにおいて任意のサンプリング周波数を使用することが可能となるので、内部ネットワークの各機器間で高品質の通話を実現することができる。
【発明を実施するための最良の形態】
【００１３】
以下、本発明のインターホンシステムにおける好ましい実施の形態例について、図面を参照して説明する。なお、本明細書の全体を通じて、各図面に示した同一の構成要素には同一の参照番号を付すことにする。
【００１４】
本発明の好ましい実施の形態例であるインターホンシステムは図１に示すように、カメラ付玄関子機２とモニタ付親機３とが接続され、モニタ付親機３にモニタ付増設親機６が接続されて内部ネットワークを構成し、デジタル信号にて呼び出し、通話等のデータ送受信を行っている。また、モニタ付親機３は外部ネットワークである例えばＩＰネットワーク４を介して外部機器５に接続されている。
【００１５】
カメラ付玄関子機２は図２に示すように、訪問者を撮像して映像信号に変換するカメラ２０１と、音声を音声信号に変換するマイク２０３と、音声信号を音声に変換するスピーカ２０２と、居住者を呼び出すための呼出ボタン２０４とを備えている。また、カメラ付玄関子機２は、音声信号についてアナログ信号をデジタル信号に、デジタル信号をアナログ信号に変換（以下、「Ａ／Ｄ、Ｄ／Ａ変換」という。）するオーディオコーデック２０５と、映像信号、音声信号、呼出・通話を制御する制御信号を処理する通信処理部２０６と、通信処理部２０６が有するハイブリッド回路により発生する音響エコーを除去するエコーキャンセラー２０７とを備えている。なお、オーディオコーデック２０５は、内部ネットワークの各機器間で高品質の通話を実現することができる広域な周波数帯域を使用する音声のサンプリング周波数のデジタル音声データに変換するものである。また、通信処理部２０６は、デジタル通信のための諸機能を有している。
【００１６】
カメラ２０１は映像信号処理回路２０８を介して通信処理部２０６に接続され、スピーカ２０２はスピーカアンプ２０９を介してオーディオコーデック２０５のアナログ信号出力端子に接続され、マイク２０３はマイクアンプ２１０を介してオーディオコーデック２０５のアナログ信号入力端子に接続されている。このオーディオコーデック２０５のデジタル信号入力端子、デジタル信号出力端子はエコーキャンセラー２０７を介して通信処理部２０６に接続され、通信処理部２０６は後述するモニタ付親機３の通信処理部３０６に伝送路Ｌ１にて接続されている。また、通信処理部２０６には呼出ボタン２０４が接続されている。
【００１７】
モニタ付親機３は図２に示すように、音声信号を音声に変換するスピーカ３０１と、音声を音声信号に変換するマイク３０２と、カメラ付玄関子機２のカメラ２０１が撮像した映像を表示するモニタ３０３と、訪問者との通話及び終話を行うための通話ボタン３０４とを備えている。また、モニタ付親機３はカメラ付玄関子機２と同様に、音声信号をＡ／Ｄ、Ｄ／Ａ変換するオーディオコーデック３０５と、映像信号、音声信号、呼出・通話を制御する制御信号を処理する通信処理部３０６と、通信処理部３０６が有するハイブリッド回路により発生する音響エコーを除去するエコーキャンセラー３０７とを備えている。なお、オーディオコーデック３０５は、内部ネットワークの各機器間で高品質の通話を実現することができる広域な周波数帯域を使用する音声のサンプリング周波数のデジタル音声データに変換するものである。
【００１８】
さらに、モニタ付親機３は、アナログ音声信号をデジタルデータに変換するための広域な周波数帯域を使用する内部ネットワークの音声のサンプリング周波数をＩＰネットワーク４の音声のサンプリング周波数に変換処理するサンプリング周波数変換処理部３０８と、サンプリング周波数変換処理部３０８の変換結果が入力されＩＰネットワーク４を介し外部機器５との通話を可能とする音声伝送用の音声コーデック３０９とを備えている。サンプリング周波数変換処理部３０８は、一般的なサンプリングレートコンバータが使用されるが、特開２０００−６８９４８の「音声信号のサンプリングレートを変換する方法及び装置」でサンプリング周波数を変換してもよい。音声コーデック３０９は、音声のデジタルデータをＧ．７１１、Ｇ．７２９等に対応した圧縮方式で圧縮・伸長を行うもので、ＩＰネットワーク４に伝送する情報量を少なくして当該ＩＰネットワーク４に適した音声のデジタルデータとなる。なお、Ｇ．７１１は、ＩＴＵ−Ｔ（国際電気通信連合の電気通信標準化部門）の音声符号化方式の勧告の１つで、パルス符号変調方式によってＩＰネットワーク等の電話網で６４ｋｂｐｓの伝送速度を実現する方式である。また、Ｇ．７２９もＩＴＵ−Ｔの音声符号化方式の勧告の１つで、共役構造代数励振型線形予測によってアナログ電話帯域の信号を８ｋＨｚでサンプリングし、８ｋｂｐｓの伝送速度を実現する方式である。
【００１９】
また、モニタ付親機３は、音声コーデック３０９で圧縮した音声のデジタルデータをＲＡＭ３１０に記録するＤＭＡＣ（Direct Memory Access Controler）３１１と、音声信号、映像信号、制御信号、宛先アドレス、送信元アドレスを含むフレームを形成するＩＰネットワーク用のメディアアクセス制御部（以下、「ＭＡＣ（Media Access Control）」という。）３１２と、フレームの送受信に必要な符号に変換するＩＰネットワーク用の物理メディア・インターフェースとなる物理層構築部（以下、「ＰＨＹ（Phyisical Media Interface）」という。）３１３と、モニタ付親機３の動作用プログラム等が実装されたＲＡＭ３１０、ＲＯＭ３１４と、親機全体の動作を制御するＣＰＵ３１５とを備えている。
【００２０】
なお、ＤＭＡＣ３１１は、入出力制御装置が主記憶領域に直接アクセスして入出力を行うことができる専用の制御用プロセッサである。ＭＡＣ３１２は、ネットワークのインターフェースが持つ機能で、物理アドレスを用いたパケットの送受信、衝突の検出、再送を行うものである。ＰＨＹ３１３は、ケーブルの材質やコネクタ形状、データと電気信号の相互変換方式などを規定する物理層を構築するもので、この物理層はＰＣＳ（Phyisical Coding Sublayer）と呼ぶデータを符号化する部分と、ＰＭＤ（Phyisical Medium Dependent）と呼ぶ物理媒体に接続する部分から構成されている。ＲＯＭ３１４は上述した機能の他に、ＴＣＰ／ＩＰのプロトコルスタックが実装されＲＡＭ３１０に記録された音声のデジタルデータをＴＣＰ／ＩＰデータとしてパケット化する機能も有している。
【００２１】
このようなモニタ付親機３のスピーカ３０１はスピーカアンプ３１６を介してオーディオコーデック３０５のアナログ信号出力端子に接続され、マイク３０２はマイクアンプ３１７を介してオーディオコーデック３０５のアナログ信号入力端子に接続されている。このオーディオコーデック３０５のデジタル信号入力端子、デジタル信号出力端子はエコーキャンセラー３０７を介して通信処理部３０６に接続されている。また、通信処理部３０６には、映像信号処理回路３１９を介してモニタ３０３が接続されている。さらに、通信処理部３０６にはサンプリング周波数変換処理部３０８を介して音声コーデック３０９が接続され、音声コーデック３０９はＤＭＡＣ３１１を介してアドレス／データバス３１８に接続されている。このアドレス／データバス３１８には、ＲＡＭ３１０、ＭＡＣ３１２、ＲＯＭ３１４、ＣＰＵ３１５、映像信号処理回路３１９及び通信処理部３０６が接続されている。ＭＡＣ３１２はＰＨＹ３１３を介してＩＰネットワーク４に接続され、ＣＰＵ３１５には通話ボタン３０４が接続されている。また、ＩＰネットワーク４には図１に示すように、外部機器５が接続されている。このような外部機器５は、例えば携帯端末５１の場合には無線基地局（図示せず）を介してＩＰネットワーク４に接続され、パーソナルコンピュータ５２の場合には電話網（図示せず）を介してＩＰネットワーク４に接続されている。
【００２２】
モニタ付増設親機６はモニタ付親機３からサンプリング周波数変換処理部３０８、音声コーデック３０９、ＤＭＡＣ３１１、ＭＡＣ３１２及びＰＨＹ３１３を除いた構成で図２に示すように、音声信号を音声に変換するスピーカ６０１と、音声を音声信号に変換するマイク６０２と、カメラ付玄関子機２のカメラ２０１が撮像した映像を表示するモニタ６０３と、訪問者との通話及び終話を行うための通話ボタン６０４と、音声信号をＡ／Ｄ、Ｄ／Ａ変換するオーディオコーデック６０５と、映像信号、音声信号、呼出・通話を制御する制御信号を処理する通信処理部６０６と、通信処理部６０６が有するハイブリッド回路により発生する音響エコーを除去するエコーキャンセラー６０７と、モニタ付増設親機６の動作用プログラム等が実装されたＲＡＭ６０８、ＲＯＭ６０９と、増設親機全体の動作を制御するＣＰＵ６１０とを備えている。なお、オーディオコーデック６０５は、内部ネットワークの各機器間で高品質の通話を実現することができる広域な周波数帯域を使用する音声のサンプリング周波数のデジタル音声データに変換するものである。
【００２３】
スピーカ６０１はスピーカアンプ６１１を介してオーディオコーデック６０５のアナログ信号出力端子に接続され、マイク６０２はマイクアンプ６１２を介してオーディオコーデック６０５のアナログ信号入力端子に接続されている。このオーディオコーデック６０５のデジタル信号入力端子、デジタル信号出力端子はエコーキャンセラー６０７を介して通信処理部６０６に接続されている。また、通信処理部６０６には、映像信号処理回路６１３を介してモニタ６０３が接続されている。この通信処理部６０６はアドレス／データバス６１４と、伝送路Ｌ２を介してモニタ付親機３の通信処理部３０６にそれぞれ接続されている。アドレス／データバス６１４には、ＲＡＭ６０８、ＲＯＭ６０９、ＣＰＵ６１０及び映像信号処理回路６１３が接続され、ＣＰＵ６１０には通話ボタン６０４が接続されている。
【００２４】
このように構成されたインターホンシステム１による動作について、以下、説明する。なお、映像系の説明は一般的な信号制御であるので説明を省略する。
【００２５】
訪問者がカメラ付玄関子機２の呼出ボタン２０４を操作すると、通信処理部２０６は、デジタル信号化された呼出信号を多重化し、送信先であるモニタ付親機３のアドレス情報を付加した呼出用パケットにして、伝送路Ｌ１に伝送する。モニタ付親機３は伝送路Ｌ１に伝送された呼出用パケットを受信すると、通信処理部３０６で各信号を分離するので、呼出信号はエコーキャンセラー３０７で受信される。エコーキャンセラー３０７で受信された呼出信号は、オーディオコーデック３０５でデジタル信号をアナログ信号に変換しスピーカアンプ３１６を介してスピーカ３０１に出力するので、スピーカ３０１はその呼出信号を呼出音として放音させることができる。
【００２６】
また、カメラ付玄関子機２から伝送路Ｌ１に伝送された呼出用パケットにモニタ付増設親機６のアドレス情報が付加されている場合には、モニタ付親機３の通信処理部３０６は、その呼出用パケットを伝送路Ｌ２に伝送する。モニタ付増設親機６は伝送路Ｌ２に伝送された呼出用パケットを受信すると、通信処理部６０６で各信号を分離するので、呼出信号はエコーキャンセラー６０７で受信される。エコーキャンセラー６０７で受信された呼出信号は、オーディオコーデック６０５でデジタル信号をアナログ信号に変換しスピーカアンプ６１１を介してスピーカ６０１に出力するので、スピーカ６０１はその呼出信号を呼出音として放音させることができる。
【００２７】
さらに、カメラ付玄関子機２から伝送路Ｌ１に伝送された呼出用パケットに外部機器５のアドレス情報が付加されている場合には、モニタ付親機３の通信処理部３０６はその呼出用パケットから呼出信号を分離して、アドレス／データバス３１８を介してＭＡＣ３１２に伝送する。この際、呼出信号はＲＯＭ３１４に実装されたＴＣＰ／ＩＰのプロトコルスタックによりＴＣＰ／ＩＰデータとしてパケット化される。ＭＡＣ３１２はそのパケット化された呼出信号を多重化してフレーム（例えば、イーサネット（登録商標）・フレーム）に格納する。これにより、ＩＰネットワーク上を伝送させるデータとして好適になる。そして、ＰＨＹ３１３でこのフレームの送受信に必要な符号に変換して、そのデータをＩＰネットワーク４を介して外部機器５に伝送する。
【００２８】
次に、居住者がその呼び出しに対する応答をした場合について説明する。
【００２９】
居住者がモニタ付親機３で訪問者からの呼び出しを受け通話ボタン３０４を操作すると、該モニタ付親機３のスピーカ３０１、マイク３０２と、カメラ付玄関子機２のスピーカ２０２、マイク２０３との間で通話路が形成される。したがって、居住者がモニタ付親機３のマイク３０２で訪問者に話しかけると、マイク３０２からの音声信号がマイクアンプ３１７を介してオーディオコーデック３０５でデジタル信号化され、エコーキャンセラー３０７を介して通信処理部３０６に送信される。通信処理部３０６は、デジタル信号化された音声信号を多重化し、送信先であるカメラ付玄関子機２のアドレス情報を付加した通話用パケットにして、伝送路Ｌ１に伝送する。カメラ付玄関子機２は伝送路Ｌ１に伝送された通話用パケットを受信すると、通信処理部２０６で各信号を分離するので、音声信号はエコーキャンセラー２０７で受信される。エコーキャンセラー２０７で受信された音声信号は、オーディオコーデック２０５でデジタル信号をアナログ信号に変換しスピーカアンプ２０９を介してスピーカ２０２に出力するので、スピーカ２０２はその音声信号を音声として放音させることができる。
【００３０】
また、訪問者がカメラ付玄関子機２のマイク２０３で居住者に話しかけると、マイク２０３からの音声信号がマイクアンプ２１０を介してオーディオコーデック２０５でデジタル信号化され、エコーキャンセラー２０７を介して通信処理部２０６に送信される。通信処理部２０６は、デジタル信号化された音声信号を多重化し、送信先であるモニタ付親機３のアドレス情報を付加した通話用パケットにして、伝送路Ｌ１に伝送する。モニタ付親機３は伝送路Ｌ１に伝送された通話用パケットを受信すると、通信処理部３０６で各信号を分離するので、音声信号はエコーキャンセラー３０７で受信される。エコーキャンセラー３０７で受信された音声信号は、オーディオコーデック３０５でデジタル信号をアナログ信号に変換しスピーカアンプ３１６を介してスピーカ３０１に出力するので、スピーカ３０１はその音声信号を音声として放音させることができる。
【００３１】
このようにして訪問者と居住者との通話がカメラ付玄関子機２及びモニタ付親機３によって成立する。
【００３２】
また、居住者がモニタ付増設親機６で訪問者からの呼び出しを受け通話ボタン６０４を操作すると、該モニタ付増設親機６のスピーカ６０１、マイク６０２と、カメラ付玄関子機２のスピーカ２０２、マイク２０３との間で通話路が形成される。したがって、居住者がモニタ付増設親機６のマイク６０２で訪問者に話しかけると、マイク６０２からの音声信号がマイクアンプ６１２を介してオーディオコーデック６０５でデジタル信号化され、エコーキャンセラー６０７を介して通信処理部６０６に送信される。通信処理部６０６は、デジタル信号化された音声信号を多重化し、送信先であるカメラ付玄関子機２のアドレス情報を付加した通話用パケットにして伝送路Ｌ２に伝送する。モニタ付親機３の通信処理部３０６は、カメラ付玄関子機２のアドレス情報が通話用パケットに付加されているので、その伝送路Ｌ２に伝送された通話用パケットを伝送路Ｌ１に伝送する。カメラ付玄関子機２は伝送路Ｌ１に伝送された通話用パケットを受信すると、通信処理部２０６で各信号を分離するので、音声信号はエコーキャンセラー２０７で受信される。エコーキャンセラー２０７で受信された音声信号は、オーディオコーデック２０５でデジタル信号をアナログ信号に変換しスピーカアンプ２０９を介してスピーカ２０２に出力するので、スピーカ２０２はその音声信号を音声として放音させることができる。
【００３３】
また、訪問者がカメラ付玄関子機２のマイク２０３で居住者に話しかけると、マイク２０３からの音声信号がマイクアンプ２１０を介してオーディオコーデック２０５でデジタル信号化され、エコーキャンセラー２０７を介して通信処理部２０６に送信される。通信処理部２０６は、デジタル信号化された音声信号を多重化し、送信先であるモニタ付増設親機６のアドレス情報を付加した通話用パケットにして、伝送路Ｌ１に伝送する。モニタ付親機３の通信処理部３０６は、モニタ付増設親機６のアドレス情報が通話用パケットに付加されているので、その伝送路Ｌ１に伝送された通話用パケットを伝送路Ｌ２に伝送する。モニタ付増設親機６は伝送路Ｌ２に伝送された通話用パケットを受信すると、通信処理部６０６で各信号を分離するので、音声信号はエコーキャンセラー６０７で受信される。エコーキャンセラー６０７で受信された音声信号は、オーディオコーデック６０５でデジタル信号をアナログ信号に変換しスピーカアンプ６１１を介してスピーカ６０１に出力するので、スピーカ６０１はその音声信号を音声として放音させることができる。
【００３４】
このようにして訪問者と居住者との通話がカメラ付玄関子機２及びモニタ付増設親機６によって成立する。
【００３５】
さらに、居住者が外部機器５で訪問者からの呼び出しを受け該外部機器５の通話機能を使用すると、外部機器５のスピーカ、マイク（図示せず）と、カメラ付玄関子機２のスピーカ２０２、マイク２０３との間で通話路が形成される。したがって、居住者が外出先から外部機器５のマイクで訪問者に話しかけると、該外部機器５はその音声信号をＩＰネットワーク４の音声のサンプリング周波数に変換すると共に通話用パケットにし、且つＩＰネットワーク上を伝送させるのに適したデータに変換してＩＰネットワーク４に伝送される。モニタ付親機３のＰＨＹ３１３はＩＰネットワーク４に伝送されたデータを受信し、そのデータを復号化し、さらに、ＭＡＣ３１２にてフレームから通話用パケットを分離して、ＤＭＡＣ３１１を介して音声コーデック３０９に送信される。この際、ＲＯＭ３１４に実装されたＴＣＰ／ＩＰのプロトコルスタックによりデジタル音声データが取り出されて音声コーデック３０９に送信される。音声コーデック３０９は、このデジタル音声データを伸長しサンプリング周波数変換処理部３０８に送信する。サンプリング周波数変換処理部３０８は、デジタル音声データがＩＰネットワーク４における音声のサンプリング周波数なので、内部ネットワークの各機器間で高品質の通話を実現することができる広域な周波数帯域を使用する音声のサンプリング周波数に変換処理して、通信処理部３０６に送信する。通信処理部３０６はこのデジタル音声データを通話用パケットにして、伝送路Ｌ１を介してカメラ付玄関子機２の通信処理部２０６に伝送する。通信処理部２０６は、通話用パケットから各信号を分離するので、音声信号はエコーキャンセラー２０７で受信される。エコーキャンセラー２０７で受信された音声信号は、オーディオコーデック２０５でデジタル信号をアナログ信号に変換しスピーカアンプ２０９を介してスピーカ２０２に出力するので、スピーカ２０２はその音声信号を音声として放音させることができる。
【００３６】
また、訪問者がカメラ付玄関子機２のマイク２０３で居住者に話しかけると、マイク２０３からの音声信号がマイクアンプ２１０を介してオーディオコーデック２０５でデジタル信号化され、エコーキャンセラー２０７を介して通信処理部２０６に送信される。通信処理部２０６は、デジタル信号化された音声信号を多重化し、送信先である外部機器５のアドレス情報を付加した通話用パケットにして、伝送路Ｌ１に伝送する。モニタ付親機３は伝送路Ｌ１に伝送された通話用パケットを受信すると通信処理部３０６で各信号を分離するが、通話用パケットに外部機器５のアドレス情報が付加されているので、音声信号をサンプリング周波数変換処理部３０８に送信する。サンプリング周波数変換処理部３０８は、この音声信号が内部ネットワークの各機器間で高品質の通話を実現することができる広域な周波数帯域を使用する音声のサンプリング周波数のデジタル音声データなので、ＩＰネットワーク４における音声のサンプリング周波数に変換処理する。そして、そのデジタル音声データを音声コーデック３０９で圧縮し、ＤＭＡＣ３１１でＲＡＭ３１０に記録する。このＲＡＭ３１０に記録されたデジタル音声データはＲＯＭ３１４に実装されたＴＣＰ／ＩＰのプロトコルスタックによりＴＣＰ／ＩＰデータとしてパケット化されてＭＡＣ３１２に送信される。このパケット化されたデジタル音声データはＭＡＣ３１２で多重化してフレームに格納される。これにより、ＩＰネットワーク上を伝送させるデータとして好適となる。そして、ＰＨＹ３１３でこのフレームの送受信に必要な符号に変換して、そのデータをＩＰネットワーク４を介して外部機器５に伝送する。したがって、外部機器５の通話機能によりカメラ付玄関子機２のマイク２０３からの音声を放音させることができる。
【００３７】
このようにして訪問者と居住者との通話がカメラ付玄関子機２及び外部機器５によって成立する。特に、内部ネットワークにおいて採用されている広域な周波数帯域を使用する音声のサンプリング周波数のデジタルデータを、モニタ付親機３のサンプリング周波数変換処理部３０８でＩＰネットワーク４における音声のサンプリング周波数に変換処理することができるので、ＩＰネットワーク４の音声のサンプリング周波数に拘束されることなく広域な周波数帯域を使用する音声のサンプリング周波数で内部ネットワークの各機器間における高品質の通話が可能になる。
【００３８】
なお、上述した本発明の実施例においてはモニタ付親機３がＩＰネットワーク４に接続されていたが、これに限らず、カメラ付玄関子機及びモニタ付親機を制御機を介して接続して内部ネットワークを構成し、制御機を介してＩＰネットワークに接続されているインターホンシステムでもよい。例えば、図３に示すように、複数のカメラ付玄関子機２を伝送路Ｌ３を介して制御機７に接続し、この制御機７に複数のモニタ付親機６を伝送路Ｌ４を介して接続し、その制御機７をＩＰネットワーク４に接続してもよい。ＩＰネットワーク４には図１に示すインターホンシステム１と同様に、携帯端末５１やパーソナルコンピュータ５２等の外部機器５が接続されている。なお、このようなインターホンシステム１０では、モニタ付親機が図１に示すモニタ付増設親機６と同様の構成となるので、同一符号を付している。
【００３９】
制御機７の構成は図４に示すように、カメラ付玄関子機２の通信処理部２０６及びモニタ付親機６の通信処理部６０６に接続され、映像信号、音声信号、呼出・通話を制御する制御信号を処理する通信処理部７０１と、アナログ音声信号をデジタルデータに変換するための広域な周波数帯域を使用する内部ネットワークの音声のサンプリング周波数をＩＰネットワーク４の音声のサンプリング周波数に変換処理するサンプリング周波数変換処理部７０２と、サンプリング周波数変換処理部７０２の変換結果が入力されＩＰネットワーク４を介し外部機器５との通話を可能とする音声伝送用の音声コーデック７０３とを備えている。なお、サンプリング周波数変換処理部７０２及び音声コーデック７０３は、上述したサンプリング周波数変換処理部３０８及び音声コーデック３０９と同様の構成要素なので説明を省略する。
【００４０】
また、制御機７は、音声コーデック７０３で圧縮した音声のデジタルデータをＲＡＭ７０４に記録するＤＭＡＣ７０５と、音声信号、映像信号、制御信号、宛先アドレス、送信元アドレスを含むフレームを形成するＩＰネットワーク用のＭＡＣ７０６と、フレームの送受信に必要な符号に変換するＩＰネットワーク用のＰＨＹ７０７と、制御機７の動作用プログラム等が実装されたＲＡＭ７０４、ＲＯＭ７０８と、制御機全体の動作を制御するＣＰＵ７０９とを備えている。なお、ＤＭＡＣ７０５、ＭＡＣ７０６及びＰＨＹ７０７は、上述したＤＭＡＣ３１１、ＭＡＣ３１２及びＰＨＹ３１３と同様の構成要素なので説明を省略する。また、ＲＯＭ７０８は上述した機能の他に、ＴＣＰ／ＩＰのプロトコルスタックが実装されＲＡＭ７０４に記録された音声のデジタルデータをＴＣＰ／ＩＰデータとしてパケット化する機能も有している。
【００４１】
このような制御機７の通信処理部７０１にはサンプリング周波数変換処理部７０２を介して音声コーデック７０３が接続され、音声コーデック７０３はＤＭＡＣ７０５を介してアドレス／データバス７１０に接続されている。このアドレス／データバス７１０には、ＲＡＭ７０４、ＭＡＣ７０６、ＲＯＭ７０８、ＣＰＵ７０９と共に通信処理部７０１が接続されている。ＭＡＣ７０６はＰＨＹ７０７を介してＩＰネットワーク４に接続されている。
【００４２】
このように構成されたインターホンシステム１０による動作について、以下、説明する。なお、映像系の説明は一般的な信号制御であるので説明を省略する。また、玄関子機２とモニタ付親機６との間における呼び出し、通話制御については、制御機７の通信処理部７０１がインターホンシステム１のモニタ付親機３の通信処理部３０６と同様の信号処理機能を有しているので説明を省略する。
【００４３】
訪問者がカメラ付玄関子機２の呼出ボタン２０４を操作すると、カメラ付玄関子機２から伝送路Ｌ３に伝送された呼出用パケットに外部機器５のアドレス情報が付加されている場合には、制御機７の通信処理部７０１はその呼出用パケットから呼出信号を分離して、アドレス／データバス７１０を介してＭＡＣ７０６に伝送する。この際、呼出信号はＲＯＭ７０８に実装されたＴＣＰ／ＩＰのプロトコルスタックによりＴＣＰ／ＩＰデータとしてパケット化される。ＭＡＣ７０６はそのパケット化された呼出信号を多重化してフレーム（例えば、イーサネット（登録商標）・フレーム）に格納する。これにより、ＩＰネットワーク上を伝送させるデータとして好適になる。そして、ＰＨＹ７０７でこのフレームの送受信に必要な符号に変換して、そのデータをＩＰネットワーク４を介して外部機器５に伝送する。
【００４４】
次に、居住者がその呼び出しに対する応答を外部機器５でした場合について説明する。
【００４５】
居住者が外部機器５で訪問者からの呼び出しを受け該外部機器５の通話機能を使用すると、外部機器５のスピーカ、マイク（図示せず）と、カメラ付玄関子機２のスピーカ２０２、マイク２０３との間で通話路が形成される。したがって、居住者が外出先から外部機器５のマイクで訪問者に話しかけると、該外部機器５はその音声信号をＩＰネットワーク４の音声のサンプリング周波数に変換すると共に通話用パケットにし、且つＩＰネットワーク上を伝送させるのに適したデータに変換してＩＰネットワーク４に伝送される。制御機７のＰＨＹ７０７はＩＰネットワーク４に伝送されたデータを受信し、そのデータを復号化し、さらに、ＭＡＣ７０６にてフレームから通話用パケットを分離して、ＤＭＡＣ７０５を介して音声コーデック７０３に送信される。この際、ＲＯＭ７０８に実装されたＴＣＰ／ＩＰのプロトコルスタックによりデジタル音声データが取り出されて音声コーデック７０３に送信される。音声コーデック７０３は、このデジタル音声データを伸長しサンプリング周波数変換処理部７０２に送信する。サンプリング周波数変換処理部７０２は、デジタル音声データがＩＰネットワーク４における音声のサンプリング周波数なので、内部ネットワークの各機器間で高品質の通話を実現することができる広域な周波数帯域を使用する音声のサンプリング周波数に変換処理して、通信処理部７０１に送信する。通信処理部７０１はこのデジタル音声データを通話用パケットにして、伝送路Ｌ３を介してカメラ付玄関子機２の通信処理部２０６に伝送する。通信処理部２０６は、通話用パケットから各信号を分離するので、音声信号はエコーキャンセラー２０７で受信される。エコーキャンセラー２０７で受信された音声信号は、オーディオコーデック２０５でデジタル信号をアナログ信号に変換しスピーカアンプ２０９を介してスピーカ２０２に出力するので、スピーカ２０２はその音声信号を音声として放音させることができる。
【００４６】
また、訪問者がカメラ付玄関子機２のマイク２０３で居住者に話しかけると、マイク２０３からの音声信号がマイクアンプ２１０を介してオーディオコーデック２０５でデジタル信号化され、エコーキャンセラー２０７を介して通信処理部２０６に送信される。通信処理部２０６は、デジタル信号化された音声信号を多重化し、送信先である外部機器５のアドレス情報を付加した通話用パケットにして、伝送路Ｌ３に伝送する。制御機７は伝送路Ｌ３に伝送された通話用パケットを受信すると通信処理部７０１で各信号を分離するが、通話用パケットに外部機器５のアドレス情報が付加されているので、音声信号をサンプリング周波数変換処理部７０２に送信する。サンプリング周波数変換処理部７０２は、この音声信号が内部ネットワークの各機器間で高品質の通話を実現することができる広域な周波数帯域を使用する音声のサンプリング周波数のデジタル音声データなので、ＩＰネットワーク４における音声のサンプリング周波数に変換処理する。そして、そのデジタル音声データを音声コーデック７０３で圧縮し、ＤＭＡＣ７０５でＲＡＭ７０４に記録する。このＲＡＭ７０４に記録されたデジタル音声データはＲＯＭ７０８に実装されたＴＣＰ／ＩＰのプロトコルスタックによりＴＣＰ／ＩＰデータとしてパケット化されてＭＡＣ７０６に送信される。このパケット化されたデジタル音声データはＭＡＣ７０６で多重化してフレームに格納される。これにより、ＩＰネットワーク上を伝送させるデータとして好適となる。そして、ＰＨＹ７０７でこのフレームの送受信に必要な符号に変換して、そのデータをＩＰネットワーク４を介して外部機器５に伝送する。したがって、外部機器５の通話機能によりカメラ付玄関子機２のマイク２０３からの音声を放音させることができる。
【００４７】
このようにして訪問者と居住者との通話がカメラ付玄関子機２及び外部機器５によって成立する。特に、内部ネットワークにおいて採用されている広域な周波数帯域を使用する音声のサンプリング周波数のデジタルデータを、制御機７のサンプリング周波数変換処理部７０２でＩＰネットワーク４における音声のサンプリング周波数に変換処理することができるので、ＩＰネットワーク４の音声のサンプリング周波数に拘束されることなく広域な周波数帯域を使用する音声のサンプリング周波数で内部ネットワークの各機器間における高品質の通話が可能になる。
【００４８】
また、本発明の他の実施例として、カメラ付玄関子機及び複数のモニタ付親機を接続して内部ネットワークを構成し、ＩＦモジュールを介してＩＰネットワークに接続されているインターホンシステムでもよい。例えば、図５に示すように、カメラ付玄関子機２に伝送路Ｌ５を介して第１のモニタ付親機６が接続され、この第１のモニタ付親機６にさらに伝送路Ｌ６を介して第２のモニタ付親機６が接続されて内部ネットワークが構成され、第２のモニタ付親機６が伝送路Ｌ７を介してＩＰネットワーク４に接続されるＩＦモジュール８に接続されている。このＩＦモジュール８は、内部ネットワークの通信に関与せず、外部接続時の処理に特化した機器である。なお、このようなインターホンシステム１００では、モニタ付親機が図１に示すモニタ付増設親機６と同様の構成となるので、同一符号を付している。
【００４９】
このようなＩＦモジュール８の構成は図６に示すように、第２のモニタ付親機６の通信処理部６０６に接続され、映像信号、音声信号、呼出・通話を制御する制御信号を処理する通信処理部８０１と、アナログ音声信号をデジタルデータに変換するための広域な周波数帯域を使用する内部ネットワークの音声のサンプリング周波数をＩＰネットワーク４の音声のサンプリング周波数に変換処理するサンプリング周波数変換処理部８０２と、サンプリング周波数変換処理部８０２の変換結果が入力されＩＰネットワーク４を介し外部機器５との通話を可能とする音声伝送用の音声コーデック８０３とを備えている。なお、サンプリング周波数変換処理部８０２及び音声コーデック８０３は、上述したサンプリング周波数変換処理部３０８及び音声コーデック３０９と同様の構成要素なので説明を省略する。
【００５０】
また、ＩＦモジュール８は、音声コーデック８０３で圧縮した音声のデジタルデータをＲＡＭ８０４に記録するＤＭＡＣ８０５と、音声信号、映像信号、制御信号、宛先アドレス、送信元アドレスを含むフレームを形成するＩＰネットワーク用のＭＡＣ８０６と、フレームの送受信に必要な符号に変換するＩＰネットワーク用のＰＨＹ８０７と、ＩＦモジュール８の動作用プログラム等が実装されたＲＡＭ８０４、ＲＯＭ８０８と、制御機全体の動作を制御するＣＰＵ８０９とを備えている。なお、ＤＭＡＣ８０５、ＭＡＣ８０６及びＰＨＹ８０７は、上述したＤＭＡＣ３１１、ＭＡＣ３１２及びＰＨＹ３１３と同様の構成要素なので説明を省略する。また、ＲＯＭ８０８は上述した機能の他に、ＴＣＰ／ＩＰのプロトコルスタックが実装されＲＡＭ８０４に記録された音声のデジタルデータをＴＣＰ／ＩＰデータとしてパケット化する機能も有している。
【００５１】
このようなＩＦモジュール８の通信処理部８０１にはサンプリング周波数変換処理部８０２を介して音声コーデック８０３が接続され、音声コーデック８０３はＤＭＡＣ８０５を介してアドレス／データバス８１０に接続されている。このアドレス／データバス８１０には、ＲＡＭ８０４、ＭＡＣ８０６、ＲＯＭ８０８、ＣＰＵ８０９と共に通信処理部８０１が接続されている。ＭＡＣ８０６はＰＨＹ８０７を介してＩＰネットワーク４に接続されている。
【００５２】
このように構成されたインターホンシステム１００による動作について、以下、説明する。なお、映像系の説明は一般的な信号制御であるので説明を省略する。また、玄関子機２とモニタ付親機６との間における呼び出し、通話制御については、インターホンシステム１の玄関子機２とモニタ付親機３との間における呼び出し、通話制御と同じなので説明を省略する。
【００５３】
訪問者がカメラ付玄関子機２の呼出ボタン２０４を操作すると、カメラ付玄関子機２から伝送路Ｌ５に伝送された呼出用パケットに外部機器５のアドレス情報が付加されている場合には、第１のモニタ付親機６の通信処理部６０６がその呼出用パケットを伝送路Ｌ６を介して第２のモニタ付親機６の通信処理部６０６に伝送し、第２のモニタ付親機６の通信処理部６０６はその呼出用パケットを伝送路Ｌ７を介してＩＦモジュール８に伝送する。ＩＦモジュール８の通信処理部８０１はその呼出用パケットから呼出信号を分離して、アドレス／データバス８１０を介してＭＡＣ８０６に伝送する。この際、呼出信号はＲＯＭ８０８に実装されたＴＣＰ／ＩＰのプロトコルスタックによりＴＣＰ／ＩＰデータとしてパケット化される。ＭＡＣ８０６はそのパケット化された呼出信号を多重化してフレーム（例えば、イーサネット（登録商標）・フレーム）に格納する。これにより、ＩＰネットワーク上を伝送させるデータとして好適になる。そして、ＰＨＹ８０７でこのフレームの送受信に必要な符号に変換して、そのデータをＩＰネットワーク４を介して外部機器５に伝送する。
【００５４】
次に、居住者がその呼び出しに対する応答を外部機器５でした場合について説明する。
【００５５】
居住者が外部機器５で訪問者からの呼び出しを受け該外部機器５の通話機能を使用すると、外部機器５のスピーカ、マイク（図示せず）と、カメラ付玄関子機２のスピーカ２０２、マイク２０３との間で通話路が形成される。したがって、居住者が外出先から外部機器５のマイクで訪問者に話しかけると、該外部機器５はその音声信号をＩＰネットワーク４の音声のサンプリング周波数に変換すると共に通話用パケットにし、且つＩＰネットワーク上を伝送させるのに適したデータに変換してＩＰネットワーク４に伝送される。ＩＦモジュール８のＰＨＹ８０７はＩＰネットワーク４に伝送されたデータを受信し、そのデータを復号化し、さらに、ＭＡＣ８０６にてフレームから通話用パケットを分離して、ＤＭＡＣ８０５を介して音声コーデック８０３に送信される。この際、ＲＯＭ８０８に実装されたＴＣＰ／ＩＰのプロトコルスタックによりデジタル音声データが取り出されて音声コーデック８０３に送信される。音声コーデック８０３は、このデジタル音声データを伸長しサンプリング周波数変換処理部８０２に送信する。サンプリング周波数変換処理部８０２は、デジタル音声データがＩＰネットワーク４における音声のサンプリング周波数なので、内部ネットワークの各機器間で高品質の通話を実現することができる広域な周波数帯域を使用する音声のサンプリング周波数に変換処理して、通信処理部８０１に送信する。通信処理部８０１はこのデジタル音声データを通話用パケットにして、伝送路Ｌ７を介して第２のモニタ付親機６の通信処理部６０６に伝送する。通信処理部６０６は、この通話用パケットにカメラ付玄関子機２のアドレス情報が付加されているので、該通話用パケットを伝送路Ｌ６を介して第１のモニタ付親機６の通信処理部６０６に伝送し、第１のモニタ付親機６の通信処理部６０６は伝送路Ｌ５を介してカメラ付玄関子機２の通信処理部２０６に伝送する。通信処理部２０６は、通話用パケットから各信号を分離するので、音声信号はエコーキャンセラー２０７で受信される。エコーキャンセラー２０７で受信された音声信号は、オーディオコーデック２０５でデジタル信号をアナログ信号に変換しスピーカアンプ２０９を介してスピーカ２０２に出力するので、スピーカ２０２はその音声信号を音声として放音させることができる。
【００５６】
また、訪問者がカメラ付玄関子機２のマイク２０３で居住者に話しかけると、マイク２０３からの音声信号がマイクアンプ２１０を介してオーディオコーデック２０５でデジタル信号化され、エコーキャンセラー２０７を介して通信処理部２０６に送信される。通信処理部２０６は、デジタル信号化された音声信号を多重化し、送信先である外部機器５のアドレス情報を付加した通話用パケットにして、伝送路Ｌ５を介して第１のモニタ付親機６の通信処理部６０６に伝送し、第１のモニタ付親機６の通信処理部６０６はその呼出用パケットを伝送路Ｌ６を介して第２のモニタ付親機６の通信処理部６０６に伝送し、第２のモニタ付親機６の通信処理部６０６はその呼出用パケットを伝送路Ｌ７を介してＩＦモジュール８に伝送する。ＩＦモジュール８は伝送路Ｌ７に伝送された通話用パケットを受信すると通信処理部８０１で各信号を分離するが、通話用パケットに外部機器５のアドレス情報が付加されているので、音声信号をサンプリング周波数変換処理部８０２に送信する。サンプリング周波数変換処理部８０２は、この音声信号が内部ネットワークの各機器間で高品質の通話を実現することができる広域な周波数帯域を使用する音声のサンプリング周波数のデジタル音声データなので、ＩＰネットワーク４における音声のサンプリング周波数に変換処理する。そして、そのデジタル音声データを音声コーデック８０３で圧縮し、ＤＭＡＣ８０５でＲＡＭ８０４に記録する。このＲＡＭ８０４に記録されたデジタル音声データはＲＯＭ８０８に実装されたＴＣＰ／ＩＰのプロトコルスタックによりＴＣＰ／ＩＰデータとしてパケット化されてＭＡＣ８０６に送信される。このパケット化されたデジタル音声データはＭＡＣ８０６で多重化してフレームに格納される。これにより、ＩＰネットワーク上を伝送させるデータとして好適となる。そして、ＰＨＹ８０７でこのフレームの送受信に必要な符号に変換して、そのデータをＩＰネットワーク４を介して外部機器５に伝送する。したがって、外部機器５の通話機能によりカメラ付玄関子機２のマイク２０３からの音声を放音させることができる。
【００５７】
このようにして訪問者と居住者との通話がカメラ付玄関子機２及び外部機器５によって成立する。特に、内部ネットワークにおいて採用されている広域な周波数帯域を使用する音声のサンプリング周波数のデジタルデータを、ＩＦモジュール８のサンプリング周波数変換処理部８０２でＩＰネットワーク４における音声のサンプリング周波数に変換処理することができるので、ＩＰネットワーク４の音声のサンプリング周波数に拘束されることなく広域な周波数帯域を使用する音声のサンプリング周波数で内部ネットワークの各機器間における高品質の通話が可能になる。
【００５８】
なお、上述した本発明の実施形態においては、親機にはモニタが、玄関子機にはカメラがそれぞれ備えられていたが、これに限らず、このような映像系を有さないインターホンシステムにおいても同様の構成で、同様の効果を得ることができる。
【００５９】
また、上述した本発明の実施形態においては、外部ネットワークをＩＰネットワークにしていたが、これに限らず、デジタル通信ができるネットワークならばどのようなものでもい。
【図面の簡単な説明】
【００６０】
【図１】本発明のインターホンシステムの構成例を示す説明図である。
【図２】本発明のインターホンシステムにおける好ましい実施の形態例を示す全体ブロック図である。
【図３】本発明のインターホンシステムの他の構成例を示す説明図である。
【図４】図３のインターホンシステムの主要構成要素である制御機を示すブロック図である。
【図５】本発明のインターホンシステムの他の構成例を示す説明図である。
【図６】図５のインターホンシステムの主要構成要素であるＩＦモジュールを示すブロック図である。
【符号の説明】
【００６１】
１、１０、１００……インターホンシステム
２……カメラ付玄関子機
２０５……オーディオコーデック
３……モニタ付親機
３０８……サンプリング周波数変換処理部
３０５……オーディオコーデック
３０９……音声コーデック
６……モニタ付増設親機
６０５……オーディオコーデック
４……ＩＰネットワーク
５……外部機器
７……制御機
７０２……サンプリング周波数変換処理部
７０３……音声コーデック
８……ＩＦモジュール
８０２……サンプリング周波数変換処理部
８０３……音声コーデック
【図１】
2006197448.tif 000003
【図２】
2006197448.tif 000004
【図３】
2006197448.tif 000005
【図４】
2006197448.tif 000006
【図５】
2006197448.tif 000007
【図６】
2006197448.tif 000008